(57)【特許請求の範囲】
【請求項１】
電源トランスと、電力を供給する対象である電気機器の一部の電源スイッチのオン／オフに関係なく、電力を該電気機器の残部に供給する待機電源回路とを備え、該待機電源回路は、前記電源トランスの２次巻線を有する電源回路において、
前記電源トランスは、前記電源スイッチのオン／オフに応じて、１次巻線側の巻数を切り換える手段を備え、前記待機電源回路は、前記２次巻線に直列接続された抵抗と、該抵抗に並列接続され、前記電源スイッチのオン／オフに応じてオフ／オンするリレー接点とを備えることを特徴とする電源回路。
【請求項２】
請求項１に記載された電源回路を備えることを特徴とする電気機器。
【発明の詳細な説明】
【０００１】
【発明の属する技術分野】
本発明は、電源トランスを備え、電源スイッチのオン／オフに関係なく電力を供給する待機電源回路を備える電源回路及びその電源回路を備える電気機器の改良に関するものである。
【０００２】
【従来の技術】
図３は、電気機器であるオーディオ機器の従来の電源回路の構成例を示す回路図である。この電源回路は、電源トランス２４の、鉄心２６に巻かれ、ＡＣ電源が与えられる１次巻線２５と、鉄心２６に巻かれた２次巻線２７，２８，２９と、２次巻線２７に、図示しない電源スイッチに連動するリレー接点ｒｙ５を介して接続された、ダイオードからなる整流回路３０と、２次巻線２８に接続された、ダイオードからなる整流回路３２と、整流回路３２の正側出力端に接続された５Ｖ安定化回路３３と、整流回路３２の負側出力端に接続された−３０Ｖ安定化回路３４とを備えている。
【０００３】
整流回路３０はパワーアンプ電源に、整流回路３２はその他の各種電源に、５Ｖ安定化回路３３はマイクロコンピュータ用５Ｖ電源に、−３０Ｖ安定化回路３４は蛍光表示管用グリッド電圧電源に、２次巻線２９は直接、蛍光表示管用フィラメント電圧電源にそれぞれ使用される。
このような電源回路は、電源スイッチがオフのとき、リレー接点ｒｙ５がオフとなり、パワーアンプ電源である整流回路３０はオフとなるが、その他の各種電源の整流回路３２、５Ｖ安定化回路３３、−３０Ｖ安定化回路３４及び２次巻線２９は、電力が供給される。つまり、マイクロコンピュータ、液晶及び蛍光表示管の電源回路等、待機時に必要な電源回路以外は通電しないことにより、待機時の消費電力を削減している。
【０００４】
図４は、電気機器であるオーディオ機器の従来の電源回路の他の構成例を示す回路図である。この電源回路は、電源トランス３８の、鉄心４１に巻かれ、図示しない電源スイッチに連動するリレー接点ｒｙ６を介してＡＣ電源が与えられる１次巻線４０と、鉄心４１に巻かれた２次巻線４２，４３と、２次巻線４２に接続された、ダイオードからなる整流回路４４と、２次巻線４３に接続された、ダイオードからなる整流回路４５と、小型の電源トランス３９の、鉄心４７に巻かれ、ＡＣ電源が与えられる１次巻線４６と、鉄心４７に巻かれた２次巻線４８，５１，５４と、２次巻線４８に接続された、ダイオードからなる整流回路４９と、２次巻線５１に接続された、ダイオードからなる整流回路５２と、整流回路４９の正側出力端に接続された５Ｖ安定化回路５０と、整流回路５２の負側出力端に接続された−３０Ｖ安定化回路５３とを備えている。
【０００５】
整流回路４４はパワーアンプ電源に、整流回路４５はその他の各種電源に、５Ｖ安定化回路５０はマイクロコンピュータ用５Ｖ電源に、−３０Ｖ安定化回路５３は蛍光表示管用グリッド電圧電源に、２次巻線５４は直接、蛍光表示管用フィラメント電圧電源にそれぞれ使用される。
【０００６】
このような電源回路は、電源スイッチがオフのとき、リレー接点ｒｙ６がオフとなり、１次巻線４０に電流が流れず、パワーアンプ電源である整流回路４４及びその他の各種電源の整流回路４５はオフとなるが、小型の電源トランス３９の１次巻線４６には電流は流れており、５Ｖ安定化回路５０、−３０Ｖ安定化回路５３及び２次巻線５４は、電源が供給される。つまり、通常使用時に必要となる電力を供給する為の電源トランス３８とは別に、待機時に必要な電力のみを供給する小型の電源トランス３９を備えることにより、待機時の消費電力を削減している。
【０００７】
【発明が解決しようとする課題】
上述したように、従来の電気機器では、待機時に必要な電源回路以外は通電しないこと、又は通常使用時に必要となる電力を供給する為の電源トランスとは別に、待機時に必要な電力のみを供給する小型の電源トランスを備えることにより、待機時の消費電力を削減している。
【０００８】
しかし、待機時に必要な電源回路以外は通電しない場合、電源トランスに流れる励磁電流の為、電源トランス内で消費される電力が大きい為、消費電力の削減効果は小さい。また、通常使用時に必要となる電力を供給する為の電源トランスとは別に、待機時に必要な電力のみを供給する小型の電源トランスを備える場合、消費電力の削減は大きいが、電源トランスを２個以上必要とする為、部品コストが高くなる上にスペースも必要である。
本発明は、上述したような事情に鑑みてなされたものであり、電源トランス等の高価な部品及び複雑な回路を追加することなく、消費電力を削減することができる電気機器を提供することを目的とする。
【０００９】
【課題を解決するための手段】
第１発明に係る電源回路は、電源トランスと、電力を供給する対象である電気機器の一部の電源スイッチのオン／オフに関係なく、電力を該電気機器の残部に供給する待機電源回路とを備え、該待機電源回路は、前記電源トランスの２次巻線を有する電源回路において、前記電源トランスは、前記電源スイッチのオン／オフに応じて、１次巻線側の巻数を切り換える手段を備え、前記待機電源回路は、前記２次巻線に直列接続された抵抗と、該抵抗に並列接続され、前記電源スイッチのオン／オフに応じてオフ／オンするリレー接点とを備えることを特徴とする。
【００１０】
この電源回路では、電源トランスの２次巻線を有する待機電源回路が、電気機器の一部の電源スイッチのオン／オフに関係なく、電力を電気機器の残部に供給する。電源トランスは、切り換える手段が、電源スイッチのオン／オフに応じて、１次巻線側の巻数を切り換え、待機電源回路は、２次巻線に直列接続された抵抗と、この抵抗に並列接続され、電源スイッチのオン／オフに応じてオフ／オンするリレー接点とが、電源スイッチのオン／オフに応じて、供給される電圧を切り換える。これにより、電源トランス等の高価な部品及び複雑な回路を追加することなく、消費電力を削減することができると共に、１次巻線側の巻数が切り換えられることによる、電源トランスから供給される電圧の変化を補うことができる。
【００１３】
第２発明に係る電気機器は、請求項１に記載された電源回路を備えることを特徴とする。
【００１４】
この電気機器では、請求項１に記載された電源回路を備えるので、電源トランス等の高価な部品及び複雑な回路を追加することなく、消費電力を削減することができる。
【００１５】
【発明の実施の形態】
以下に、本発明をその実施の形態を示す図面に基づき説明する。
図１は、本発明に係る電気機器であるオーディオ機器の電源回路の実施の形態の構成を示す回路図である。この電源回路及び電気機器は、電源トランス９の、鉄心１１に巻かれ、図示しない電源スイッチに連動するリレー接点ｒｙ１（巻数を切り換える手段）を介してＡＣ電源が与えられる１次巻線１０と、鉄心１１に巻かれた２次巻線１２，１３，１４と、２次巻線１２にリレー接点ｒｙ２を介して接続された、ダイオードからなる整流回路１５と、２次巻線１３に接続された、ダイオードからなる整流回路１６（待機電源回路）と、整流回路１６の正側出力端に接続された５Ｖ安定化回路１７と、整流回路１６の負側出力端に、抵抗Ｒ１及びリレー接点ｒｙ３の並列回路（電圧を切り換える手段）を介して接続された−３０Ｖ安定化回路１８とを備えている。
【００１６】
電源トランス９の１次巻線１０は、その巻数を例えば１／２とするタップ８（巻数を切り換える手段）を有する。リレー接点ｒｙ１は、電源スイッチがオンであり通常使用時であるときはタップ８側へ、電源スイッチがオフである待機時は１次巻線１０の全巻数となる側へ切り換える。
２次巻線１４（待機電源回路）の出力端には、抵抗Ｒ２及びリレー接点ｒｙ４の並列回路（電圧を切り換える手段）が接続されている。
リレー接点ｒｙ２，ｒｙ３，ｒｙ４は図示しない電源スイッチに連動する。
【００１７】
整流回路１５はパワーアンプ電源に、整流回路１６はその他の各種電源に、５Ｖ安定化回路１７はマイクロコンピュータ用５Ｖ電源に、−３０Ｖ安定化回路１８は蛍光表示管用グリッド電圧電源に、２次巻線１４は蛍光表示管用フィラメント電圧電源にそれぞれ使用される。
【００１８】
以下に、このような電源回路及び電気機器の動作を説明する。
この電源回路は、電源スイッチがオンのとき、リレー接点ｒｙ１はタップ８側へ接続し、リレー接点ｒｙ２はオンとなり、リレー接点ｒｙ３，ｒｙ４はオフとなる。その結果、整流回路１５はパワーアンプに、整流回路１６はその他の各種回路に、５Ｖ安定化回路１７はマイクロコンピュータに電力を供給する。−３０Ｖ安定化回路１８は、抵抗Ｒ１により１／２に昇圧（例えば−７０Ｖ→−３５Ｖ）された整流回路１６からの電圧を与えられ、蛍光表示管用グリッドに電力を供給する。２次巻線１４は、抵抗Ｒ２により１／２に降圧（例えば６０Ｖ→３０Ｖ）された電圧電源を蛍光表示管用フィラメントに供給する。
【００１９】
この電源回路は、電源スイッチがオフのとき、リレー接点ｒｙ１は１次巻線１０の全巻数となる側へ接続し、リレー接点ｒｙ２はオフとなり、リレー接点ｒｙ３，ｒｙ４はオンとなる。その結果、整流回路１５はオフとなり、パワーアンプもオフとなるが、整流回路１６は引き続きオンである。
このとき、１次巻線１０の巻数は、電源スイッチがオンのときに比較して、２倍となるので、２次巻線１３に生じる電圧は１／２になるが、５Ｖ安定化回路１７に与えられる電圧は、２０Ｖから１０Ｖに変化するだけなので、対策を講じる必要はない。しかし、−３０Ｖ安定化回路１８では、抵抗Ｒ１により昇圧された整流回路１６からの電圧が１／２（例えば−３５Ｖ→−１７．５Ｖ）になるので、リレー接点ｒｙ３をオンにし、抵抗Ｒ１を短絡させて、整流回路１６からの電圧を直接印加し、電源スイッチがオンのときと変わらない電圧を印加する。
【００２０】
また、２次巻線１４に生じる電圧も１／２（例えば６０Ｖ→３０Ｖ）になるので、リレー接点ｒｙ４をオンにし、抵抗Ｒ４を短絡させて、２次巻線１４に生じた電圧（例えば３０Ｖ）を直接蛍光表示管用フィラメントに供給し、電源スイッチがオンのときと変わらない電圧を供給する。
このオーディオ機器では、電源スイッチがオフのとき、従来１５Ｗ程度であった消費電力が６Ｗ程度に削減できる。
【００２１】
尚、電源トランス９は、図２に示すように、１次巻線１０に代えて、例えば同じ巻数の２つの１次巻線２０，２１を直列に接続し、リレー接点ｒｙ１は、電源スイッチがオンであるときは１次巻線２１のみを接続する側へ、電源スイッチがオフであるときは２つの１次巻線２０，２１を直列に接続する側へ切り換えるようにしても良い。
【００２２】
【発明の効果】
第１発明に係る電源回路によれば、電源トランス等の高価な部品及び複雑な回路を追加することなく、消費電力を削減することができると共に、１次巻線の巻数が切り換えられることによる、電源トランスから供給される電圧の変化を補うことができる。
【００２４】
第２発明に係る電気機器によれば、電源トランス等の高価な部品及び複雑な回路を追加することなく、消費電力を削減することができる。
【図面の簡単な説明】
【図１】本発明に係る電気機器であるオーディオ機器の電源回路の実施の形態の構成を示す回路図である。
【図２】本発明に係る電源回路の１次巻線の他の構成例を示す回路図である。
【図３】従来のオーディオ機器の電源回路の構成例を示す回路図である。
【図４】従来のオーディオ機器の電源回路の構成例を示す回路図である。
【符号の説明】
８  タップ（巻数を切り換える手段）
９  電源トランス
１０  １次巻線
１１  鉄心
１２  ２次巻線
１３，１４  ２次巻線（待機電源回路）
１５  整流回路
１６  整流回路（待機電源回路）
１７  ５Ｖ安定化回路（待機電源回路）
１８  −３０Ｖ安定化回路（待機電源回路）
ｒｙ１  リレー接点（巻数を切り換える手段）
ｒｙ２  リレー接点
ｒｙ３，ｒｙ４  リレー接点（電圧を切り換える手段）
Ｒ１，Ｒ２  抵抗（電圧を切り換える手段）
【図１】
0003717668.tif 000002
【図２】
0003717668.tif 000003
【図３】
0003717668.tif 000004
【図４】
0003717668.tif 000005